(57)【特許請求の範囲】
【請求項１】
ディスクの記録面に沿って走行する光ピックアップの走行路が、シャーシに取り付けられた主軸と副軸とによって形成されていて、副軸がシャーシに取り付けられているディスク装置において、
副軸としてロッドでなるシャフト又は板金材でなるレールのいずれか一方を選択可能であって、上記シャーシの異なる２箇所に、上記シャフトを取付け可能なシャフト取付け部と、上記レールを取付け可能なレール取付け部とが備わっていることを特徴とするディスク装置。
【請求項２】
上記シャーシが開口を有してこの開口内で上記光ピックアップが走行可能であると共に、上記シャフト取付け部が上記開口を挟む奥行方向両側の開口縁部に配備されているのに対し、上記レール取付け部が上記開口の幅方向片側に配備されている請求項１に記載したディスク装置。
【請求項３】
上記光ピックアップに、副軸に案内されて摺動する軸受け部が備わり、この軸受け部が、上記シャフト及び上記レールの両方に共用可能である請求項１に記載したディスク装置。
【請求項４】
上記軸受け部が、丸ロッドでなる上記シャフトを収容可能な凹入部を有してその凹入部が上記シャフトを挟んで摺動する摺動面を有していると共に、上記凹入部が、板金材でなる上記レールに断面門形に折曲形成された増嵩部を収容可能であって、その凹入部の上記摺動面が、その凹入部に収容された上記増嵩部を挟んで摺動可能である請求項３に記載したディスク装置。
【発明の詳細な説明】
【技術分野】
【０００１】
本発明は、ディスク装置、特に、ディスクの記録面に沿って走行する光ピックアップの走行路が、シャーシに取り付けられた主軸と副軸とによって形成されているディスク装置に関する。
【背景技術】
【０００２】
この種のディスク装置において、主軸と副軸との両方に円形断面の丸ロッドでなるシャフトを用いることが知られている（たとえば、特許文献１、特許文献２参照）。また、主軸にロッドでなるシャフトを用い、副軸に、ガイドブロックに具備させたレール部を用いることも知られている（たとえば、特許文献３参照）。
【０００３】
一方、図６には主軸と副軸との両方に円形断面の丸ロッドでなるシャフトを用いたディスク装置の概略構成を平面図で示してあり、図７には主軸に丸ロッドでなるシャフトを用い、副軸にレールを用いたディスク装置の概略構成を平面図で示してある。
【０００４】
図６及び図７に示したディスク装置において、１０は樹脂成形体でなる枠形のシャーシであり、２０は光ピックアップである。光ピックアップ２０は、シャーシ１０に開設されている開口１１内で矢印で示した奥行方向Ｄに正逆走行可能であって、その直線状の走行路が、シャーシ１０に取り付けられている主軸３０と副軸４０とによって形成される。なお、２１は光ピックアップ２０に設けられている光学部品としての対物レンズを示し、３１，３５は主軸３０をシャーシ１０に保持している主軸取付け機構を示している。
【０００５】
図６に示したディスク装置において、丸ロッドでなるシャフト４１によって形成されている副軸４０は、その一端部４２と他端部４３とが、シャーシ１０の開口１１を挟む奥行方向Ｄ両側の各開口縁部に配備された取付け部５１，５５に取り付けられている。これに対し、図７に示したディスク装置において、板金材でなるレール４５によって形成されている副軸４０は、シャーシ１０の開口１１の幅方向片側の開口縁部に配備された取付け部６１に取り付けられている。
【０００６】
そして、図６に示したディスク装置では、その光ピックアップ２０が、シャフト４１でなる副軸４０に案内されて摺動する軸受け部２２を備えている。同様に、図７に示したディスク装置でも、その光ピックアップ２０が、レール４５でなる副軸４０に案内されて摺動する軸受け部２３を備えている。そして、図６や図７に示した２種類の軸受け部２２，２３は、それぞれの相手方部材であるシャフト４１やレール４５の形状に適合した形状を有している。
【特許文献１】特開２００７−６６４３０号公報
【特許文献２】特開２００２−２３０７９１号公報
【特許文献３】特開２００３−２０３４３７号公報
【発明の開示】
【発明が解決しようとする課題】
【０００７】
図６や図７を参照して説明した従来のディスク装置では、副軸４０にシャフト４１を用いるかレール４５を用いるかによってシャーシ１０の構成が異なっている。すなわち、副軸４０にシャフト４１を用いる図６のディスク装置では、シャーシ１０がシャフト４１の一端部４２と他端部４３とを取り付けるための取付け部５１，５５を備えている。これに対し、副軸４０にレール４５を用いる図７のディスク装置では、シャーシ１０がレール１０を取り付けるための取付け部６１を備えている。そして、図６の取付け部５１，５５と図７の取付け部６１とではその配備箇所や構成が相違しているために、同じ構成のシャーシ１０に副軸４０としてのシャフト４１とレール４５とを使い分けることができない。また、光ピックアップ２０の軸受け部２３についても、副軸４０としてのシャフト４１とレール４５とに共用することができない場合が多い。
【０００８】
このことから、従来では、副軸４０にシャフト４１を用いる場合とレール４５を用いる場合とで、それぞれに適合する構成を備えたシャーシ１０を使い分ける必要があって、組立工程でシャーシ１０の種類の選択間違いを生じたり、シャーシ１０の製作コストや管理コストがそれだけ高くついたりするという問題があった。光ピックアップ２０の軸受け部２２，２３についても、同様に、副軸４０に、シャフト４１を用いる場合とレール４５を用いる場合とで、それぞれに適合する構成の軸受け部２２，２３を備えた光ピックアップ２０を使い分ける必要があることが多かったため、組立工程で光ピックアップ２０の種類の選択間違いを生じたり、光ピックアップ２０の製作コストや管理コストがそれだけ高くついたりするという問題があった。
【０００９】
本発明は以上の問題に鑑みてなされたものであり、副軸にシャフトを用いる場合であってもレールを用いる場合であっても、１種類のシャーシをそれらに共用することが可能であり、光ピックアップの軸受け部についても、１種類の軸受け部をそれらに共用することが可能なディスク装置を提供することを目的とする。
【課題を解決するための手段】
【００１０】
本発明に係るディスク装置は、ディスクの記録面に沿って走行する光ピックアップの走行路が、シャーシに取り付けられた主軸と副軸とによって形成されていて、副軸がシャーシに取り付けられている。そして、副軸としてロッドでなるシャフト又は板金材でなるレールのいずれか一方を選択可能であって、上記シャーシの異なる２箇所に、上記シャフトを取付け可能なシャフト取付け部と、上記レールを取付け可能なレール取付け部とが備わっている。
【００１１】
この構成であると、選択された副軸がロッドでなるシャフトである場合には、そのシャフトをシャーシのシャフト取付け部に取り付けて光ピックアップの走行路を形成させることが可能である。また、選択された副軸が板金材でなるレールである場合には、そのレールをシャーシのレール取付け部に取り付けて光ピックアップの走行路を形成させることが可能である。したがって、１種類のシャーシを、副軸としてのシャフト及びレールの両方に共用することができるようになる。光ピックアップの軸受け部についても、副軸としてのシャフト及びレールの両方に共用することができるようになる。
【００１２】
本発明では、上記シャーシが開口を有してこの開口内で上記光ピックアップが走行可能であると共に、上記シャフト取付け部が上記開口を挟む奥行方向両側の開口縁部に配備されているのに対し、上記レール取付け部が上記開口の幅方向片側に配備されている、という構成を採用することが可能である。これによれば、シャーシの異なる２箇所に設けられるシャフト取付け部とレール取付け部とが、シャーシの開口を挟む奥行方向両側の開口縁部と幅方向片側とに振り分けられることになるので、それらのシャフト取付け部とレール取付け部とを無理なくシャーシに配備することが可能になる。
【００１３】
本発明では、上記光ピックアップに、副軸に案内されて摺動する軸受け部が備わり、この軸受け部が、上記シャフト及び上記レールの両方に共用可能であることが望ましい。この軸受け部をシャフト及びレールの両方に共用可能にするためには、たとえば、その軸受け部が、丸ロッドでなる上記シャフトを収容可能な凹入部を有してその凹入部が上記シャフトを挟んで摺動する摺動面を有していると共に、上記凹入部が、板金材でなる上記レールに断面門形に折曲形成された増嵩部を収容可能であって、その凹入部の上記摺動面が、その凹入部に収容された上記増嵩部を挟んで摺動可能である、という構成を採用することができる。
【発明の効果】
【００１４】
以上のように、本発明によれば、副軸にシャフトを用いる場合であってもレールを用いる場合であっても、１種類のシャーシをそれらに共用することが可能になる。また、光ピックアップの軸受け部についても、１種類の軸受け部をそれらに共用することが可能になる。そのため、組立工程でシャーシの種類の選択間違いを生じる余地がなくなることと併せて、シャーシの製作コストや管理コストを安く抑えることが可能になる。光ピックアップの軸受け部についても、同様に、組立工程で光ピックアップの種類の選択間違いを生じる余地がなくなることと併せて、光ピックアップの製作コストや管理コストを安く抑えることが可能になる。
【発明を実施するための最良の形態】
【００１５】
図１は本発明の実施形態に係るディスク装置に用いられるシャーシ１０の概略平面図、図２は副軸４０にシャフト４１を用いたディスク装置の概略平面図、図３は副軸４０にレール４５を用いたディスク装置の概略平面図、図４は副軸４０としてのシャフト４１に案内される軸受け部２５の概略正面図、図５は副軸４０としてのレール４５に案内される軸受け部２５の概略正面図である。
【００１６】
この実施形態のディスク装置に用いられるシャーシ１０は枠形の樹脂成形体でなる。このシャーシ１０には開口１１が備わっている。また、このシャーシ１０には、主軸３０を保持している主軸取付け機構３１，３５が備わっているほか、シャーシ１０の開口１１を挟む奥行方向Ｄの両側の開口縁部にシャフト取付け部５１，５５とレール取付け部６１とが備わっている。
【００１７】
シャフト取付け部５１，５５は、後述する副軸４０にシャフト４１を用いる場合に、そのシャフト４１を所定の１箇所に配備することに用いられる。これに対し、レール取付け部６１は、後述する副軸４０にレール４５を用いる場合に、そのレール４５を所定の１箇所に配備することに用いられる。この実施形態において、シャフト取付け部５１，５５は、シャーシ１０の開口１１を挟む奥行方向（矢印Ｄ）の両側の開口縁部に備わっている。これに対し、レール取付け部６１は、シャーシ１０の開口１１の幅方向片側に備わっている。そして、図２のように、副軸４０に丸ロッドでなるシャフト４１を用いる場合は、そのシャフト４１の一端部が一方側のシャフト取付け部５１に保持され、その他端部が他方側のシャフト取付け部５５に保持される。また、図３のように、副軸４０に板金材でなるレール４５を用いる場合は、そのレール４５に具備されている取付け片部４６がレール取付け部６１に保持される。
【００１８】
このシャーシ１０にあっては、異なる２箇所にシャフト取付け部５１，５５とレール取付け部６１とが備わっているので、副軸４０としてロッド（丸ロッド）でなるシャフト４１が選択されたときには、そのシャフト４１がシャフト取付け部５１，５５を利用してシャーシ１０に保持され、副軸４０として板金製のレール４５が選択されたときには、そのレール４５がレール取付け部６１を利用してシャーシ１０に保持される。
【００１９】
このことから、このシャーシ１０は、シャフト４１でなる副軸４０と、レール４５でなる副軸４０との両方に共用することが可能である。
【００２０】
図２を参照してシャフト取付け部５１，５２の具体的構成を概略的に説明する。一方側のシャフト取付け部５１と他方側のシャフト取付け部５２とは同一の構成要素を備えている。したがって、一方側のシャフト取付け部５１について先に説明する。
【００２１】
一方側のシャフト取付け部５１は、丸ロッドでなるシャフト４１の一端部４２が挿入さているカバー部５２と、シャーシ１０に開設されている調整ねじ挿入孔及びカバー部５２に具備されたねじ孔５３と、シャフト４１に嵌合保持された押圧ばね５４などを備えている。そして、押圧ばね５４の弾発力によってシャーシ１０に近付く方向に付勢されているシャフト４１の一端部４２が、上記調整ねじ孔を通してねじ孔５３にねじ込まれた調整ねじ７１の頭部７２に押し付けられている。したがって、調整ねじ７１を締付け方向又は緩み方向に回転させることによって、調整ねじ７１の頭部７２と押圧ばね５４との押合いによりシャフト４１の一端部４２の取付けレベルが調整される。他方側のシャフト取付け部５５も同様の構成を有している。すなわち、他方側のシャフト取付け部５５は、丸ロッドでなるシャフト４１の他端部４３が挿入されているカバー部５６と、シャーシ１０に開設さている調整ねじ挿入孔及びカバー部５３に具備されたねじ孔５７と、シャフト４１に嵌合保持された押圧ばね５８などを備えている。そして、押圧ばね５８の弾発力によってシャーシ１０に近付く方向に付勢されているシャフト４１の他端部４３が、上記調整ねじ孔を通してねじ孔５７にねじ込まれた調整ねじ７５の頭部７６に押し付けられている。したがって、調整ねじ７５を締付け方向又は緩み方向に回転させることによって、調整ねじ５１の頭部７６と押圧ばね５８との押合いによりシャフト４１の他端部４３の取付けレベルが調整される。以上より、このシャーシ１０に設けられているシャフト取付け部５１，５５は、副軸４０としてのシャフト４１の一端部４２や他端部４３の取付けレベルを調節してそのシャフト４１の傾きを微調整する機能を有している。なお、このような調整は、後述する光ピックアップ２０の傾角などを調整してその光学性能を高めることに役立つ。
【００２２】
一方、図３のように、レール取付け部６１に板金材でなるレール４５を取り付けた場合にも、そのレール４５の傾角を調整して光ピックアップ２０の光学性能を高めることに役立つ機能が付与されている。
【００２３】
なお、シャフト取付け部５１，５５やレール取付け部６１に付与されている副軸４０の傾角調整機能を発揮させるための具体的構成を開示することは本発明の目的ではない。したがって、上記のように、シャフト４１やレール４５でなる副軸４０の傾角調整機能を発揮させるための構成の説明は上記した程度にとどめることにする。
【００２４】
図２のように副軸４０にシャフト４１が用いられているとき、及び、図３のように副軸４０にレール４５が用いられているときには、ディスク（不図示）の記録面に沿って走行する光ピックアップ２０の直線状の走行路が、シャーシ１０に取り付けられた主軸３０と副軸４０とによって形成される。
【００２５】
この実施形態のディスク装置では、光ピックアップ２０の軸受け部２５を、副軸４０としてのシャフト４１、及び、副軸４０としてのレール４５の両方に共用することのできる対策を講じてある。すなわち、図４又は図５のように、光ピックアップ２０の軸受け部２５はシャフト４１を収容可能な凹入部２６を有して、その凹入部２６が平坦な摺動面２７を備えている。そして、図４のように、凹入部２６の摺動面２７が副軸４０としての丸ロッドでなるシャフト４１を挟んで摺動する構成になっている。これに対し、板金材でなるレール４５には、このレール４５を上記した軸受け部２５に適合させるための対策として、図５のように板金材を曲げ加工することによって折曲形成された断面門形の増嵩部４７を具備させてあり、その増嵩部４７の高さ寸法を図４に示したシャフト４１の直径寸法と同一に定めてある。したがって、副軸４０にレール４５が用いられる場合には、レール４５の増嵩部４７が軸受け部２５の凹入部２６に収容されて、その凹入部２６の平坦な摺動面２７が増嵩部４７を挟んで摺動する構成になっている。
【００２６】
なお、図１〜図５、図６及び図７では、同一又は相応する要素に同一符号を付してある。
【００２７】
以上説明したように、この実施形態では、副軸４０にシャフト４１を用いる場合であってもレール４５を用いる場合であっても、１種類のシャーシ１０をそれらに共用することが可能になる。また、光ピックアップ２０の軸受け部２５についても、１種類の軸受け部２５をそれらに共用することが可能になる。そのため、組立工程でシャーシ１０の種類の選択間違いを生じる余地がなくなることと併せて、シャーシ１０の製作コストや管理コストを安く抑えることが可能になる。光ピックアップ２０の軸受け部２５についても、同様に、組立工程で光ピックアップ２０の種類の選択間違いを生じる余地がなくなることと併せて、光ピックアップ２０の製作コストや管理コストを安く抑えることが可能になる。
【図面の簡単な説明】
【００２８】
【図１】本発明の実施形態に係るディスク装置に用いられるシャーシの概略平面図である。
【図２】副軸にシャフトを用いたディスク装置の概略平面図である。
【図３】副軸にレールを用いたディスク装置の概略平面図である。
【図４】副軸としてのシャフトに案内される軸受け部の概略正面図である。
【図５】副軸としてのレールに案内される軸受け部の概略正面図である。
【図６】副軸にシャフトを用いた従来例としてのディスク装置の概略構成を示した平面図である。
【図７】副軸にレールを用いた従来例としてのディスク装置の概略構成を示した平面図である。
【符号の説明】
【００２９】
１０  シャーシ
１１  開口
２０  光ピックアップ
２５  軸受け部
２６  凹入部
２７  摺動面
３０  主軸
４０  副軸
４１  副軸としてのシャフト
４５  副軸としてのレール
４７  増嵩部
５１，５５  シャフト取付け部
６１  レール取付け部
【図１】
0004301329.tif 000002
【図２】
0004301329.tif 000003
【図３】
0004301329.tif 000004
【図４】
0004301329.tif 000005
【図５】
0004301329.tif 000006
【図６】
0004301329.tif 000007
【図７】
0004301329.tif 000008